【誤訳訂正書】
【提出日】平成27年8月3日(2015.8.3)
【誤訳訂正１】
【訂正対象書類名】特許請求の範囲
【訂正対象項目名】全文
【訂正方法】変更
【訂正の内容】
【特許請求の範囲】
【請求項１】
ワイヤレス通信のための装置であって、
下記を実施するように構成された処理システムと、
複数のチャネルペアをスキャンすること、ここにおいて、前記複数のチャネルペアの各々が、第１のチャネル指定を有する第１のチャネルと第２のチャネル指定を有する第２のチャネルとを備え、
いずれの他の装置も動作していない前記複数のチャネルペアからオープンチャネルのセットを、前記スキャンに基づいて、決定し、
前記決定に基づいて一次チャネルを選択すること、ここにおいて、前記選択は、
オープンチャネルの前記セットからの１つのメンバーが、前記第１のチャネル指定を有する場合、前記１つのメンバーを前記一次チャネルとして選択すること、
オープンチャネルの前記セットからのいずれのメンバーも前記第１のチャネル指定を有さない場合、前記一次チャネルとして、前記第２のチャネル指定を有する１つのメンバーを選択すること、または、
オープンチャネルの前記セットが空のセットである場合、前記一次チャネルとして、前記複数のチャネルペアの１つから前記第１のチャネルを選択すること、
を備える、そして、
前記選択された一次チャネルを使用して送信するように構成された送信機と、
を備える上記装置。
【請求項２】
前記第１のチャネルおよび第２のチャネルの各々が約１ＭＨｚというチャネル幅を有し、前記複数のチャネルペアの各々が約２ＭＨｚという帯域幅を有する、請求項１に記載の装置。
【請求項３】
前記第１のチャネル指定がデフォルトチャネルを示し、前記第２のチャネル指定が非デフォルトチャネルを示す、請求項１に記載の装置。
【請求項４】
前記複数のチャネルペアの各々の中の前記第１のチャネルが、前記複数のチャネルペアの各々の中の前記第２のチャネルよりも下側の帯域幅を占有する、請求項１に記載の装置。
【請求項５】
前記複数のチャネルペアの各々において、前記第１のチャネルが奇数チャネルであり、前記第２のチャネルが偶数チャネルである、請求項１に記載の装置。
【請求項６】
前記複数のチャネルペアの１つの中の前記奇数チャネルまたは前記偶数チャネルで送信を受信するように構成される受信機をさらに備え、前記受信機が、前記複数のチャネルペアの同じ１つの中の前記奇数チャネルと前記偶数チャネルの両方で前記送信の受信を確認するように構成され、前記偶数チャネルが前記奇数チャネルよりも高い帯域幅を占有する、請求項５に記載の装置。
【請求項７】
前記選択された一次チャネルが前記第２のチャネル指定を有し、前記処理システムがさらに、
前記選択された一次チャネルと関連付けられるチャネルペアを使用して別の装置を検出し、
新たな一次チャネルを選択するように構成され、前記新たな一次チャネルの前記選択が、
前記チャネルペアの前記第１のチャネルを前記新たな一次チャネルとして選択すること、
オープンチャネルの前記セットの１つのメンバーが前記第１のチャネル指定を有する場合、前記１つのメンバーを前記新たな一次チャネルとしてオープンチャネルの前記セットから選択すること、
オープンチャネルの前記セットのメンバーがいずれも前記第１のチャネル指定を有さない場合、前記第２のチャネル指定を有する１つのメンバーを前記新たな一次チャネルとしてオープンチャネルの前記セットから選択すること、または、
オープンチャネルの前記セットが空集合である場合、前記第１のチャネルを前記新たな一次チャネルとして、他の装置によって使用されているチャネルペア以外の前記複数のチャネルペアの１つから選択することを備える、請求項１に記載の装置。
【請求項８】
前記処理システムが、検出されたエネルギーが閾値よりも低い、または閾値以下である、前記第１のチャネルと第２のチャネルのいずれかがオープンチャネルの前記セットに追加されるように、前記複数のチャネルペアの各々の前記第１のチャネルおよび第２のチャネルにおいてエネルギーを検出することによって、オープンチャネルの前記セットを決定するように構成される、請求項１に記載の装置。
【請求項９】
ワイヤレス通信のための方法であって、
複数のチャネルペアをスキャンする、ここにおいて、前記チャネルペアの各々が、第１のチャネル指定を有する第１のチャネルと第２のチャネル指定を有する第２のチャネルとを備える、
いずれの他の装置も動作していない前記複数のチャネルペアからオープンチャネルのセットを、前記スキャンに基づいて、決定することと、
前記決定に基づいて一次チャネルを選択すること、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからのいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択すること、
を備える、そして、
前記選択された一次チャネルを使用して送信することと、
を備える上記方法。
【請求項１０】
前記第１のチャネルおよび第２のチャネルの各々が約１ＭＨｚというチャネル幅を有し、前記複数のチャネルペアの各々が約２ＭＨｚという帯域幅を有する、請求項９に記載の方法。
【請求項１１】
前記第１のチャネル指定がデフォルトチャネルを示し、前記第２のチャネル指定が非デフォルトチャネルを示す、請求項９に記載の方法。
【請求項１２】
前記複数のチャネルペアの各々の中の前記第１のチャネルが、前記複数のチャネルペアの各々の中の前記第２のチャネルよりも下側の帯域幅を占有する、請求項９に記載の方法。
【請求項１３】
前記複数のチャネルペアの各々において、前記第１のチャネルが奇数チャネルであり、前記第２のチャネルが偶数チャネルである、請求項９に記載の方法。
【請求項１４】
前記複数のチャネルペアの１つの中の前記奇数チャネルまたは前記偶数チャネルで送信を受信することと、
前記複数のチャネルペアの同じ１つの中の前記奇数チャネルと前記偶数チャネルの両方で前記送信の受信を確認することとをさらに備え、前記偶数チャネルが前記奇数チャネルよりも高い帯域幅を占有する、請求項１３に記載の方法。
【請求項１５】
前記選択された一次チャネルと関連付けられるチャネルペアを使用して装置を検出することであって、前記選択された一次チャネルが前記第２のチャネル指定を有する、検出することと、
前記チャネルペアの前記第１のチャネルを新たな一次チャネルとして選択すること、
オープンチャネルの前記セットの１つのメンバーが前記第１のチャネル指定を有する場合、前記１つのメンバーを前記新たな一次チャネルとしてオープンチャネルの前記セットから選択すること、
オープンチャネルの前記セットのメンバーがいずれも前記第１のチャネル指定を有さない場合、前記第２のチャネル指定を有する１つのメンバーを前記新たな一次チャネルとしてオープンチャネルの前記セットから選択すること、または、
オープンチャネルの前記セットが空集合である場合、前記第１のチャネルを前記新たな一次チャネルとして、他の装置によって使用されているチャネルペア以外の前記複数のチャネルペアの１つから選択すること
によって前記新たな一次チャネルを選択することとをさらに備える、請求項９に記載の方法。
【請求項１６】
オープンチャネルの前記セットを決定することが、検出されたエネルギーが閾値よりも低い、または閾値以下である、前記第１のチャネルと第２のチャネルのいずれかがオープンチャネルの前記セットに追加されるように、前記複数のチャネルペアの各々の前記第１のチャネルおよび第２のチャネルにおいてエネルギーを検出することを備える、請求項９に記載の方法。
【請求項１７】
ワイヤレス通信のための装置であって、
複数のチャネルペアをスキャンするための手段と、ここにおいて、前記チャネルペアの各々は、第１のチャネル指定を有する第１のチャネルと第２のチャネル指定を有する第２のチャネルとを備える、
いずれの他の装置も動作していない前記複数のチャネルペアからオープンチャネルのセットを、前記スキャンに基づいて、決定するための手段と、
前記決定に基づいて一次チャネルを選択するための手段と、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択すること、
を備える、そして、
前記選択された一次チャネルを使用して送信するための手段と、
を備える上記装置。
【請求項１８】
前記第１のチャネルおよび第２のチャネルの各々が約１ＭＨｚというチャネル幅を有し、前記複数のチャネルペアの各々が約２ＭＨｚという帯域幅を有する、請求項１７に記載の装置。
【請求項１９】
前記第１のチャネル指定がデフォルトチャネルを示し、前記第２のチャネル指定が非デフォルトチャネルを示す、請求項１７に記載の装置。
【請求項２０】
前記複数のチャネルペアの各々の中の前記第１のチャネルが、前記複数のチャネルペアの各々の中の前記第２のチャネルよりも下側の帯域幅を占有する、請求項１７に記載の装置。
【請求項２１】
前記複数のチャネルペアの各々において、前記第１のチャネルが奇数チャネルであり、前記第２のチャネルが偶数チャネルである、請求項１７に記載の装置。
【請求項２２】
前記複数のチャネルペアの１つの中の前記奇数チャネルまたは前記偶数チャネルで送信を受信するための手段をさらに備え、前記受信するための手段が、前記複数のチャネルペアの同じ１つの中の前記奇数チャネルと前記偶数チャネルの両方で前記送信の受信を確認するように構成され、前記偶数チャネルが前記奇数チャネルよりも高い帯域幅を占有する、請求項２１に記載の装置。
【請求項２３】
前記選択された一次チャネルと関連付けられるチャネルペアを使用して別の装置を検出するための手段であって、前記選択された一次チャネルが前記第２のチャネル指定を有する、手段と、
新たな一次チャネルを選択するための手段とをさらに備え、前記新たな一次チャネルの前記選択が、
前記チャネルペアの前記第１のチャネルを前記新たな一次チャネルとして選択すること、
オープンチャネルの前記セットの１つのメンバーが前記第１のチャネル指定を有する場合、前記１つのメンバーを前記新たな一次チャネルとしてオープンチャネルの前記セットから選択すること、
オープンチャネルの前記セットのメンバーがいずれも前記第１のチャネル指定を有さない場合、前記第２のチャネル指定を有する１つのメンバーを前記新たな一次チャネルとしてオープンチャネルの前記セットから選択すること、または、
オープンチャネルの前記セットが空集合である場合、前記第１のチャネルを前記新たな一次チャネルとして、他の装置によって使用されているチャネルペア以外の前記複数のチャネルペアの１つから選択することを備える、請求項１７に記載の装置。
【請求項２４】
検出されたエネルギーが閾値よりも低い、または閾値以下である、前記第１のチャネルと第２のチャネルのいずれかがオープンチャネルの前記セットに追加されるように、オープンチャネルの前記セットを決定するための前記手段が、前記複数のチャネルペアの各々の前記第１のチャネルおよび第２のチャネルにおいてエネルギーを検出するように構成される、請求項１７に記載の装置。
【請求項２５】
コンピュータ可読媒体を備える、ワイヤレス通信のためのコンピュータプログラム製品であって、前記コンピュータ可読媒体が、
複数のチャネルペアをスキャンすること、ここにおいて、前記チャネルペアの各々が、第１のチャネル指定を有する第１のチャネルと第２のチャネル指定を有する第２のチャネルとを備え、
いずれの他の装置も動作していない前記複数のチャネルペアからオープンチャネルのセットを、前記スキャンに基づいて、決定すること、
前記決定に基づいて一次チャネルを選択すること、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからのいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択すること、
を備え、そして、
前記選択された一次チャネルを使用して送信することを実行可能な命令を備える、
上記コンピュータプログラム製品。
【請求項２６】
ワイヤレス通信のためのアクセスポイントであって、
少なくとも１つのアンテナと、
複数のチャネルペアをスキャンし、ここにおいて、前記チャネルペアの各々が、第１のチャネル指定を有する第１のチャネルと第２のチャネル指定を有する第２のチャネルとを備える、
いずれの他の装置も動作していない前記複数のチャネルペアからオープンチャネルのセットを、前記スキャンに基づいて、決定し、
前記決定に基づいて一次チャネルを選択する、ここにおいて、前記選択は、
オープンチャネルの前記セットからの１つのメンバーが、前記第１のチャネル指定を有する場合、前記一次チャネルとして前記１つのメンバーを選択すること、
オープンチャネルの前記セットからのいずれのメンバーも前記第１のチャネル指定を有さない場合、前記一次チャネルとして前記第２のチャネル指定を有するオープンチャネルの前記セットから１つのメンバーを選択すること、または、
オープンチャネルの前記セットが空のセットである場合、前記一次チャネルとして前記複数のチャネルペアの１つから前記第１のチャネルを選択することと、を備える、
を実行するように構成された処理システムと、そして、
前記少なくとも１つのアンテナを介して、前記選択された一次チャネルを使用して送信するように構成される送信機と、
を備える上記アクセスポイント。
【請求項２７】
ワイヤレス通信のための第１の装置であって、
チャネルペアの第１のチャネルを使用して第１の送信を送信するように構成される送信機と、前記チャネルペアは、前記第１のチャネルと第２のチャネルとを備える、および、
第２の装置から第２の送信を受信するように構成される受信機とを備え、
ここにおいて、前記第２の送信は、前記チャネルペアの前記第１と第２のチャネルの両方で受信される、
ここにおいて、前記第１と第２のチャネルの１つは、前記第２の装置に対する一次チャネルとして指定される、および、
ここにおいて、前記受信機は、前記第１のチャネルまたは前記第２のチャネルが前記一次チャネルとして指定されるかどうかに関係なく、前記第２の送信を受信するように構成される、
上記第１の装置。
【請求項２８】
前記第１のチャネルが前記第２の装置に対する二次チャネルとして指定されると判定し、
前記判定に基づいて、前記第１のチャネルに対する動作を終了するように構成される、処理システムをさらに備える、請求項２７に記載の第１の装置。
【請求項２９】
前記受信機が、第３の装置から、前記第１のチャネルが前記第２の装置の前記二次チャネルとして指定されることを示すメッセージを受信するように構成され、前記判定が前記メッセージに基づく、請求項２８に記載の第１の装置。
【請求項３０】
前記終了の後、前記送信機が、同一のチャネルペアの前記第２のチャネルで、または、異なるチャネルペアの第１のチャネルまたは第２のチャネルで、第３の送信を送信するように構成される、請求項２８に記載の第１の装置。
【請求項３１】
前記第１のチャネルが前記チャネルペアの偶数チャネルであり、前記第２のチャネルが前記チャネルペアの奇数チャネルであり、前記偶数チャネルが前記奇数チャネルよりも高い帯域幅を占有する、請求項２７に記載の第１の装置。
【請求項３２】
前記第１のチャネルおよび第２のチャネルの各々が約１ＭＨｚというチャネル幅を有し、前記チャネルペアが約２ＭＨｚという帯域幅を有する、請求項２７に記載の第１の装置。
【請求項３３】
前記送信機がさらに、少なくとも前記第２の送信の前記受信の期間、ワイヤレス媒体にアクセスするのを控えるように構成される、請求項２７に記載の第１の装置。
【請求項３４】
ワイヤレス通信のための方法であって、
第１の装置から、チャネルペアの第１のチャネルを使用して第１の送信を送信することと、前記チャネルペアは前記第１のチャネルと第２のチャネルとを備える、および、
第２の装置から第２の送信を受信することとを備え、
ここにおいて、前記第２の送信は、前記チャネルペアの前記第１と前記第２のチャネルの両方で受信される、
ここにおいて、前記第１と第２のチャネルの１つは、前記第２の装置に対する一次チャネルとして指定される、および、
ここにおいて、前記第２の送信は、前記第１のチャネルまたは前記第２のチャネルが前記一次チャネルとして指定されるかどうかに関係なく受信される、
上記方法。
【請求項３５】
前記第１のチャネルが前記第２の装置に対する二次チャネルとして指定されると判定することと、
前記判定に基づいて、前記第１のチャネルに対する動作を終了することとをさらに備える、請求項３４に記載の方法。
【請求項３６】
第３の装置から、前記第１のチャネルが前記第２の装置の前記二次チャネルとして指定されることを示すメッセージを受信することをさらに備え、前記判定が前記メッセージに基づく、請求項３５に記載の方法。
【請求項３７】
前記終了の後、同一のチャネルペアの前記第２のチャネルで、または、異なるチャネルペアの第１のチャネルまたは第２のチャネルで、第３の送信を送信することをさらに備える、請求項３５に記載の方法。
【請求項３８】
前記第１のチャネルが前記チャネルペアの偶数チャネルであり、前記第２のチャネルが前記チャネルペアの奇数チャネルであり、前記偶数チャネルが前記奇数チャネルよりも高い帯域幅を占有する、請求項３４に記載の方法。
【請求項３９】
前記第１のチャネルおよび第２のチャネルの各々が約１ＭＨｚというチャネル幅を有し、前記チャネルペアが約２ＭＨｚという帯域幅を有する、請求項３４に記載の方法。
【請求項４０】
少なくとも前記第２の送信の前記受信の期間、ワイヤレス媒体にアクセスするのを控えることをさらに備える、請求項３４に記載の方法。
【請求項４１】
ワイヤレス通信のための第１の装置であって、
チャネルペアの第１のチャネルを使用して第１の送信を送信するための手段と、前記チャネルペアは、前記第１のチャネルと第２のチャネルとを備える、および、
第２の装置から第２の送信を受信するための手段ととを備え、
ここにおいて、前記第２の送信は、前記チャネルペアの前記第１と前記第２のチャネルの両方で受信される、
ここにおいて、前記第１と第２のチャネルの１つは、前記第２の装置に対する一次チャネルとして指定される、および、
ここにおいて、受信するための前記手段は、前記第１のチャネルまたは前記第２のチャネルが前記一次チャネルとして指定されるかどうかに関係なく、前記第２の送信を受信するように構成される、
を備える上記第１の装置。
【請求項４２】
前記第１のチャネルが前記第２の装置に対する二次チャネルとして指定されると判定するための手段と、
前記判定に基づいて、前記第１のチャネルに対する動作を終了するための手段とをさらに備える、請求項４１に記載の第１の装置。
【請求項４３】
前記受信するための手段が、第３の装置から、前記第１のチャネルが前記第２の装置の前記二次チャネルとして指定されることを示すメッセージを受信するように構成され、前記判定が前記メッセージに基づく、請求項４２に記載の第１の装置。
【請求項４４】
前記終了の後、前記送信するための手段が、同一のチャネルペアの前記第２のチャネルで、または、異なるチャネルペアの第１のチャネルまたは第２のチャネルで、第３の送信を送信するように構成される、請求項４２に記載の第１の装置。
【請求項４５】
前記第１のチャネルが前記チャネルペアの偶数チャネルであり、前記第２のチャネルが前記チャネルペアの奇数チャネルであり、前記偶数チャネルが前記奇数チャネルよりも高い帯域幅を占有する、請求項４１に記載の第１の装置。
【請求項４６】
前記第１のチャネルおよび第２のチャネルの各々が約１ＭＨｚというチャネル幅を有し、前記チャネルペアが約２ＭＨｚという帯域幅を有する、請求項４１に記載の第１の装置。
【請求項４７】
前記送信するための手段がさらに、少なくとも前記第２の送信の前記受信の期間、ワイヤレス媒体にアクセスするのを控えるように構成される、請求項４１に記載の第１の装置。
【請求項４８】
コンピュータ可読媒体を備える、ワイヤレス通信のためのコンピュータプログラム製品であって、前記コンピュータ可読媒体が、
チャネルペアの第１のチャネルを使用して第１の送信を送信することと、前記チャネルペアは、前記第１のチャネルと第２のチャネルとを備える、および、
装置から第２の送信を受信することとを備え、
ここにおいて、前記第２の送信は、前記チャネルペアの前記第１と前記第２のチャネルの両方で受信される、
ここにおいて、前記第１と第２のチャネルの１つは、前記装置に対する一次チャネルとして指定される、および、
ここにおいて、前記第２の送信は、前記第１のチャネルまたは前記第２のチャネルが前記一次チャネルとして指定されるかどうかに関係なく受信される、
を実行可能な命令を備える、上記コンピュータプログラム製品。
【請求項４９】
少なくとも１つのアンテナと、
前記少なくとも１つのアンテナを介して、チャネルペアの第１のチャネルを使用して第１の送信を送信するように構成される送信機と、前記チャネルペアは前記第１のチャネルと第２のチャネルとを備える、および、
前記少なくとも１つのアンテナを介して、装置から第２の送信を受信するように構成される受信機と、
ここにおいて、前記第２の送信は、前記チャネルペアの前記第１と第２のチャネルの両方で受信される、
ここにおいて、前記第１と第２のチャネルの１つは、前記装置に対する一次チャネルとして指定される、および、
ここにおいて、前記受信機は、前記第１のチャネルまたは前記第２のチャネルが前記一次チャネルとして指定されるかどうかに関係なく、前記第２の送信を受信するように構成される、
を備えるアクセスポイント。
【請求項５０】
ワイヤレス通信のための第１の装置であって、
複数のチャネルペアをスキャンすること、ここにおいて、前記チャネルペアの各々は、第１のチャネルと第２のチャネルとを備える、および
前記スキャンに基づいて、一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを選択すること、
を実施するように構成される処理システムと、および、
前記選択された一次チャネルを使用して送信するように構成される送信機と、
を備える、上記第１の装置。
【請求項５１】
前記第１のチャネルおよび第２のチャネルの各々が約１ＭＨｚというチャネル幅を有し、前記複数のチャネルペアの各々が約２ＭＨｚという帯域幅を有する、請求項５０に記載の第１の装置。
【請求項５２】
前記第２の装置からの送信を受信するように構成される受信機をさらに備え、前記送信が、前記複数のチャネルペアの１つの前記第１のチャネルと第２のチャネルの両方で同時に受信される、請求項５０に記載の第１の装置。
【請求項５３】
ワイヤレス通信のための方法であって、
第１の装置において複数のチャネルペアをスキャンすること、ここにおいて、前記チャネルペアの各々は、第１のチャネルと第２のチャネルとを備える、
前記スキャンに基づいて、一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを選択すること、および、
前記選択された一次チャネルを使用して送信すること、
とを備える上記方法。
【請求項５４】
前記第１のチャネルおよび第２のチャネルの各々が約１ＭＨｚというチャネル幅を有し、前記複数のチャネルペアの各々が約２ＭＨｚという帯域幅を有する、請求項５３に記載の方法。
【請求項５５】
前記第２の装置からの送信を受信することをさらに備え、前記送信が、前記複数のチャネルペアの１つの前記第１のチャネルと第２のチャネルの両方で同時に受信される、請求項５３に記載の方法。
【請求項５６】
ワイヤレス通信のための第１の装置であって、
複数のチャネルペアをスキャンするための手段と、ここにおいて、前記チャネルペアの各々は第１のチャネルと第２のチャネルとを備える、
一次チャネルが前記第１の装置に通信可能に結合される第２の装置の二次チャネルと同一ではないように、前記一次チャネルとして前記複数のチャネルペアの１つから前記第１のチャネルまたは前記第２のチャネルを、前記スキャンに基づいて、選択するための手段と、および、
前記選択された一次チャネルを使用して送信するための手段と、
を備える、上記第１の装置。
【請求項５７】
前記第１のチャネルおよび第２のチャネルの各々が約１ＭＨｚというチャネル幅を有し、前記複数のチャネルペアの各々が約２ＭＨｚという帯域幅を有する、請求項５６に記載の第１の装置。
【請求項５８】
前記第２の装置からの送信を受信するための手段をさらに備え、前記送信が、前記複数のチャネルペアの１つの前記第１のチャネルと第２のチャネルの両方で同時に受信される、請求項５６に記載の第１の装置。
【請求項５９】
コンピュータ可読媒体を備える、ワイヤレス通信のためのコンピュータプログラム製品であって、前記コンピュータ可読媒体が、
第１の装置において複数のチャネルペアをスキャンすること、ここにおいて、前記チャネルペアの各々は、第１のチャネルと第２のチャネルとを備える、
前記スキャンに基づいて、一次チャネルが、前記第１の装置に通信可能に結合される第２の装置の二次チャネルと同一ではないように、前記一次チャネルとして前記複数のチャネルペアの１つから前記第１のチャネルまたは前記第２のチャネルを選択すること、および、
前記選択された一次チャネルを使用して送信すること、
を実行可能な命令を備える、上記コンピュータプログラム製品。
【請求項６０】
アクセスポイントであって、
少なくとも１つのアンテナと、
複数のチャネルペアをスキャンすることと、ここにおいて、前記チャネルペアの各々は、第１のチャネルと第２のチャネルとを備える、
前記スキャンに基づいて、一次チャネルが、前記アクセスポイントに通信可能に結合される装置の二次チャネルと同一ではないように、前記一次チャネルとして前記複数のチャネルペアの１つから前記第１のチャネルまたは前記第２のチャネルを選択することと、
をするように構成される処理システムと、および、
前記少なくとも１つのアンテナを介して、前記選択された一次チャネルを使用して送信するように構成される送信機と、
を備える上記アクセスポイント。